(57)【要約】【課題】グリル庫内の調理状況が観察し易いと共に、コンロ調理で生ずる煮汁による汚れが生じにくく、さらに、観察窓をコンパクト化でき、破損の虞をなくすことができるグリル付コンロを提供する。【解決手段】本体ケース１２の内部にグリル庫２０を設け、本体ケース１２を構成する天板１８を平面部１８ａと、この平面部１８ａの前端縁に一体に折り曲げ形成された傾斜部１８ｂとにより構成する。前記傾斜部１８ｂに観察窓開口１８ｃを設け、この観察窓開口１８ｃに観察窓板１９を接着剤により接着する。前記平面部１８ａの上部にコンロ１４Ｌ，１４Ｒを設ける。グリル庫２０内の調理状態を、斜め前方から観察窓板１９及び内側観察窓板２７を通して外部から容易に確認することができる。【選択図】　　　図１
2004092953.tif 000002
【特許請求の範囲】
【請求項１】
本体ケースにコンロとグリルを収容し、前記本体ケースの前面にグリル庫の前面開口を開閉するグリル扉を装着したグリル付コンロにおいて、
前記本体ケースを構成する天板を、平面部と、その前端縁から下方に変位する傾斜部とで構成し、前記傾斜部に前記グリル庫の内部を観察する観察窓を設けたグリル付コンロ。
【請求項２】
請求項１において、前記傾斜部にコンロ及びグリルを操作する操作手段が設けられているグリル付コンロ。
【請求項３】
請求項１又は２において、グリル庫の上板には前記観察窓とグリル庫内を結ぶ線上に内側観察窓が装着されているグリル付コンロ。
【請求項４】
請求項３において、グリル扉は前記傾斜部の下方に形成された凹部に収容され、前記内側観察窓の窓板の先端部は前記凹部の奥部でグリル扉の上方に突出して配置されているグリル付コンロ。
【請求項５】
請求項３又は４において、前記グリル庫の上板の前端部には側面から見てへ字状の山形膨出部が形成され、その膨出部の前側斜面に前記内側観察窓が設けられているグリル付コンロ。
【発明の詳細な説明】
【０００１】
【発明の属する技術分野】
本発明は、各種の調理を行うためのグリル付コンロに関するものである。
【０００２】
【従来の技術】
従来のグリル付コンロとして、実開昭５９−４５４１６号公報に示すものが提案されている。このグリル付コンロは、グリル庫の前面開口を開閉するグリル扉及び天板にグリル庫内観察用の観察窓を備えている。
【０００３】
又、他のグリル付コンロとして、実公昭５６−４１１３２号公報に示すものも提案されている。このグリル付コンロは、グリル庫の前面から上面に亘って側面から見て横Ｌ字状にグリル扉が形成され、そこに観察窓を備えている。
【０００４】
【発明が解決しようとする課題】
ところが、前者のグリル付コンロは、観察窓が天板に形成されているので、グリル庫内の調理状況を観察し易いが、コンロにより調理された食品の煮汁が零れて、観察窓が汚れ易く、その清掃作業を行うことが面倒であった。
【０００５】
一方、後者のグリル付コンロも、グリル庫内の調理状況を観察し易いが、Ｌ字形の扉であるので嵩張る形状となり、魚等の出し入れの際にグリル扉にグリル皿等がぶつかってグリル扉が破損する虞があった。
【０００６】
本発明の主たる目的は、上記従来の技術に存する問題点を解消して、グリル庫内の調理状況を観察し易くすると共に、コンロ調理で生ずる煮汁による汚れが生じにくく、さらに観察窓をコンパクト化して破損の虞をなくすことができるグリル付コンロを提供することにある。
【０００７】
又、本発明の別の目的は、上記目的に加えて、外側の観察窓の裏面側の汚損を防止することができるとともに、内側観察窓の裏面側の清掃作業を容易に行うことができるグリル付コンロを提供することにある。
【０００８】
【課題を解決するための手段】
上記問題点を解決するために、請求項１に記載の発明は、本体ケースにコンロとグリルを収容し、前記本体ケースの前面にグリル庫の前面開口を開閉するグリル扉を装着したグリル付コンロにおいて、前記本体ケースを構成する天板を、平面部と、その前端縁から下方に変位する傾斜部とで構成し、前記傾斜部に前記グリル庫の内部を観察する観察窓を設けたことを要旨とする。
【０００９】
請求項２に記載の発明は、請求項１において、前記傾斜部にコンロ及びグリルを操作する操作手段が設けられていることを要旨とする。
請求項３に記載の発明は、請求項１又は２において、グリル庫の上板には前記観察窓とグリル庫内を結ぶ線上に内側観察窓が装着されていることを要旨とする。
【００１０】
請求項４に記載の発明は、請求項３において、グリル扉は前記傾斜部の下方に形成された凹部に収容され、前記内側観察窓の窓板の先端部は前記凹部の奥部でグリル扉の上方に突出して配置されていることを要旨とする。
【００１１】
請求項５に記載の発明は、請求項３又は４において、前記グリル庫の上板の前端部には側面から見てへ字状の山形膨出部が形成され、その膨出部の前側斜面に前記内側観察窓が設けられていることを要旨とする。
【００１２】
【発明の実施の形態】
以下、本発明を具体化したグリル付コンロの一実施形態を図１〜図６に従って説明する。
【００１３】
図４に示すように、このグリル付コンロ１１は本体ケース１２の中央部にグリル１３を備え、左右両側部に１対のコンロ１４Ｌ，１４Ｒを備えている。前記本体ケース１２は箱状部１７と、この箱状部１７の上部開口を覆う天板１８とにより構成されている。前記天板１８は箱状部１７の大部分を覆う平面部１８ａと、この平面部１８ａの前端縁より下方に傾斜して前方に延び箱状部１７の前部を覆う傾斜部１８ｂとにより構成されている。天板１８は、金属板をプレス加工することにより、前記平面部１８ａと傾斜部１８ｂとが一体的に形成されるもので、平面部１８ａには左コンロ１４Ｌの内炎式バーナ１４ａと右コンロ１４Ｒの外炎式バーナ１４ｃが臨む開口１８ＫＬ，１８ＫＲが形成されている。そして、前記傾斜部１８ｂにはグリル１３と対応して観察窓開口１８ｃと、操作手段としての操作つまみ１５Ｌ，１５Ｒ，１６の軸穴（図示せず）がプレス成形時に同時に打ち抜き形成される。この観察窓開口１８ｃに透明材料としてのガラスよりなる観察窓板１９が接着剤により取り付けられて観察窓Ｗ１が構成されている。
【００１４】
前記両コンロ１４Ｌ，１４Ｒのうち、左コンロ１４Ｌは、内炎式バーナ１４ａと天板１８の平面部１８ａの開口１８ＫＬの周囲に載置される五徳１４ｂ等からなる。この内炎式バーナ１４ａの炎孔は天板１８の平面部１８ａより下方に位置し、炎孔から内向きに噴出されるガスが燃焼して生じる炎は開口１８ＫＬから上方に出て五徳１４ｂに載置される調理容器の鍋底に当って加熱する。
【００１５】
又、右コンロ１４Ｒは、外炎式バーナ１４ｃ、天板１８の平面部１８ａの開口１８ＫＲの周囲に載置される五徳１４ｄ、そして、鍋底に接し、鍋底の温度を検出する温度センサ１４ｅ等からなる。
【００１６】
なお、天板１８の傾斜部１８ｂには、左コンロ１４Ｌの操作摘み１５Ｌと、グリル１３の操作摘み１６と、右コンロ１４Ｒの操作摘み１５Ｒが前記の軸穴を貫通した操作軸の先端に取り付けられて配設されている。
【００１７】
前記本体ケース１２の内部には前記グリル庫２０が収容されている。このグリル庫２０は左右１対の側板２１，２２、後板２３、上板２４及び底板２５により構成され、グリル庫２０の前面は開放されて開口２０ａとなっている。グリル庫２０の後側上部には天板１８の平面部１８ａに形成された開口に連なる排気通路３２が設けられ、この天板１８の開口には多数の排気孔を有する排気板３３が設けられている。
【００１８】
図５に示すように、開口縁枠２６は前記開口２０ａの開口を縁取るもので、開口２０ａの左右両側縁及び下縁にスポット溶接されるリブ２６ａ，２６ｂ，２６ｃを備えている。この開口縁枠２６にグリル扉３０の内面が接触することにより開口２０ａが閉じられるようになっている。
【００１９】
前記グリル庫２０の上板２４の下面にはグリルバーナ３４が取り付けられている。
前記上板２４の前端部には、図１，５に示すように、側面から見てへ字状に上方に膨出し、開口２０ａの間口方向に延び、前側斜面２４ａと後側斜面２４ｂとからなる山形膨出部２４ｃが形成されている。前側斜面２４ａには窓穴２４ｄが打ち抜き形成されている。この窓穴２４ｄの左右両側縁及び上縁と対応して窓枠３５が溶接により取り付けられ、前側斜面２４ａとの間で案内溝Ｍを形成している。この案内溝Ｍにはガラスのような透明板である内側観察窓板２７が前下がりの傾斜状態で装着されている。前側斜面２４ａ、窓穴２４ｄ、内側観察窓板２７及び窓枠３５等により内側観察窓Ｗ２が構成されている。
【００２０】
図１，２に示すように前記開口縁枠２６は箱状部１７の前面から所定長さＬだけ後退している。その結果、箱状部１７の左前部１７ａと右前部１７ｂの間に凹部１７ｅが形成され、グリル扉３０はこの凹部１７ｅに収まる。
【００２１】
なお、図１，２に示す符号２８は、前記凹部１７ｅを構成する天板、図３，４に示す符号１７ｃ，１７ｄは凹部１７ｅを構成する左右の側板である。
前記内側観察窓板２７は図２に示すように前記上板２４の前端部に形成された窓枠３５によって保持され、窓枠３５によって形成される案内溝Ｍに沿って内側観察窓板２７を斜め上下方向に案内しつつ脱着可能としている。この内側観察窓板２７の先端部２７ａは、窓枠３５より前方に若干突出され、前記凹部１７ｅの奥部でグリル扉３０の上方に位置し、この先端部２７ａを指で把持して内側観察窓板２７の脱着を行うようにしている。
【００２２】
図１に示すように、前記グリル庫２０内にはグリル皿２９が収容されている。又、グリル庫２０には開口２０ａを開閉するグリル扉３０が装着されている。このグリル扉３０は連結部材３１によって前記グリル皿２９に連結され、グリル扉３０を引き出し操作すると、グリル庫２０内からグリル皿２９が引き出されるようになっている。
【００２３】
前記グリル扉３０は前記グリル庫２０の開口２０ａを閉鎖する閉鎖板部３０ａと、この閉鎖板部３０ａの上部に一体に前方へ張り出し形成された張出部３０ｂと、この張出部３０ｂの先端部に下方に一体に形成された取っ手３０ｃとにより構成されている。前記閉鎖板部３０ａの左右両側部には前記箱状部１７の前面とほぼ面一となるように側壁部３０ｄ，３０ｅが一体に形成されている。
【００２４】
次に、前記のように構成したグリル付コンロ１１について、その動作を説明する。
図１において、グリル１３のグリル扉３０を取っ手３０ｃを把持して、前方に引き出して連結部材３１によりグリル皿２９を図６に示すように前方に引き出す。この状態でグリル皿２９の上部に金網（図示略）を介して魚等の食品を載せる。そして、グリル扉３０をグリル皿２９をグリル庫２０内に収容して閉じる。この状態で操作部１６を操作することにより、グリル１３のグリルバーナ３４を作動し、食品の加熱調理を行う。この加熱調理状態は、観察窓Ｗ１及び内側観察窓Ｗ２によって確認される。又、操作部１５Ｌ，１５Ｒを操作することによって左コンロ１４Ｌ、右コンロ１４Ｒを作動させ、鍋等に収容された食品の加熱調理を行う。
【００２５】
上記実施形態のグリル付コンロによれば、以下のような特徴を得ることができる。
（１）上記実施形態では、本体ケース１２を構成する天板１８を平面部１８ａと、傾斜部１８ｂとにより形成し、傾斜部１８ｂに観察窓開口１８ｃを設けて観察窓板１９を前下がりの傾斜状態様で接着した。このため、観察窓板１９を通してグリル庫２０の内部の食品の加熱調理状態を斜め前方から容易に確認することができ、低い姿勢でのグリル扉からの観察に比べ観察し易い。又、観察窓をコンパクト化でき、破損の虞をなくすことができる。
【００２６】
（２）上記実施形態では、前記天板１８の平面部１８ａの上部にコンロ１４Ｌ，１４Ｒを設け、平面部１８ａの前端縁に下方に傾斜する傾斜部１８ｂを形成したので、傾斜部１８ｂはコンロ１４Ｌ，１４Ｒよりも下方に位置することになる。このため、コンロ１４Ｌ，１４Ｒによる加熱調理の際に傾斜部１８ｂはコンロ１４Ｌ，１４Ｒの燃焼炎によって加熱され難い。この結果、操作部１５，１６の指による操作を快適に行うことができる。又、従来技術のように観察窓を天板１８の平面部に設けたのでは、コンロにより生じた煮汁で観察窓が汚れ易いが、本発明ではコンロから離れた傾斜部に設けたので、汚れることが少ない。
【００２７】
（３）上記実施形態では、前記グリル庫２０の上部前側に内側観察窓板２７を脱着可能に装着したので、観察窓板１９の裏側面の調理による汚れを防止することができる。内側観察窓板２７の汚れは内側観察窓板２７を取り外すことによって容易に清掃することができる。
【００２８】
（４）上記実施形態では、前記天板１８の傾斜部１８ｂをグリル庫２０の前面の開口２０ａよりも前方に張り出し形成し、この張出部の下方にグリル扉３０を収容する凹部１７ｅを設けた。このため、凹部１７ｅ内にグリル扉３０を収容して外観を向上することができる。又、傾斜部１８ｂの張出部がグリル庫２０から前方へ離隔されるので、グリル１３による調理中に傾斜部１８ｂが加熱され難くなり、この点からも操作部１５，１６の温度上昇を抑制して、その操作を快適に行うことができる。
【００２９】
（５）上記実施形態では、天板１８の傾斜部１８ｂに操作部１５，１６を設けたので、操作面が上向きの傾斜となり、その操作を容易に行うことができる。
（６）上板２４に山形膨出部２４ｃを形成し、その前側斜面２４ａに内側観察窓板２７を観察窓板１９と同様に傾斜状態で取り付けたので、内側観察窓Ｗ２の上部は上板２４の水平板部より上方に位置することとなり、その分観察視野を広げることができる。
【００３０】
なお、本実施形態は以下のように変更してもよい。
○　　図７に示すように、天板１８の平面部１８ａと傾斜部１８ｂを透明の耐熱ガラスにより一体的に形成し、前記観察窓開口１８ｃとなる観察窓領域を残して不透明の材料よりなる不透明層３８をガラス裏面より印刷等により形成するようにして観察窓Ｗ１を構成してもよい。又、傾斜部１８ｂの略全面を透明のガラス板とし、観察窓領域を残して前記のように不透明層を施して構成することもできる。なお、符号３９は金属枠である。
【００３１】
○　前記コンロ１４Ｌ，１４Ｒのガスバーナーに代えて電気ヒータ等の加熱手段を用いてもよい。又、グリル１３のガスバーナーに代えて電気ヒータ等の加熱手段を用いてもよい。
【００３２】
○　操作部はコンロ本体の前面でもよい。前記操作部１５，１６として押しボタン式の操作部を用いてもよい。
○　前記傾斜部１８ｂの観察窓開口１８ｃに対する観察窓板１９の取付構造として、シールリングを介して接合するようにしてもよい。
【００３３】
前記実施形態及び別例から把握される技術思想について、以下に説明する。
（技術思想１）　請求項１〜５のいずれか一項において、前記天板の平面部と傾斜部は金属製の板材により一体的にプレス成形され、傾斜部のグリル庫と対応する部分には、観察窓の開口が形成され、この開口に透明材料よりなる窓板が取り付けられているグリル付コンロ。
【００３４】
（技術思想２）　請求項１〜５のいずれか一項において、傾斜部の周囲を残して略全域に開口を形成するとともに、透明性の観察板を取り付け、該観察板の観察窓領域を残して不透明手段を施したグリル付コンロ。
【００３５】
（技術思想３）　請求項１〜５のいずれか一項において、前記天板の平面部と傾斜部は透明材料により一体に形成され、前記観察窓領域を除いて、不透明層が形成されているグリル付コンロ。
【００３６】
【発明の効果】
以上詳述したように、請求項１〜５に記載の発明は、グリル庫内の調理状況が観察し易いと共に、コンロ調理で生ずる煮汁による汚れが生じにくく、さらに、観察窓をコンパクト化でき、破損の虞をなくすことができる。
【００３７】
又、請求項３記載の発明は、上記効果に加えて、観察窓の裏面側の汚損を防止することができるとともに、内側観察窓の清掃作業を容易に行うことができる。
【図面の簡単な説明】
【図１】この発明のグリル付コンロを具体化した１実施形態を示す中央部縦断面図。
【図２】図１のグリル付コンロの要部を拡大して示す断面図。
【図３】グリル付コンロの正面図。
【図４】グリル付コンロの斜視図。
【図５】グリル庫を示す斜視図。
【図６】グリル庫からグリル扉を引き出した縦断面図。
【図７】グリル付コンロの天板の別例を示す断面図。
【符号の説明】Ｗ１…観察窓、Ｗ２…内側観察窓、１１…グリル付コンロ、１３…グリル、１４Ｌ，１４Ｒ…コンロ、１８…天板、１８ａ…平面部、１８ｂ…傾斜部、２０…グリル庫、２４…上板、２４ａ…前側斜面、２７…内側観察窓板、２７ａ…先端部、３０…グリル扉。
【図１】
2004092953.tif 000003
【図２】
2004092953.tif 000004
【図３】
2004092953.tif 000005
【図４】
2004092953.tif 000006
【図５】
2004092953.tif 000007
【図６】
2004092953.tif 000008
【図７】
2004092953.tif 000009